(57)【要約】【課題】  光源を特性に合わせて駆動可能な内視鏡装置を提供すること。【解決手段】  発光素子６ａを有する光源６が内蔵された複数の光学アダプタ２を内視鏡先端部３ａに着脱可能な内視鏡装置１において、光学アダプタ２内に、発光素子６ａの特性を判別する光源判別手段９と、内視鏡装置１の本体部４に、発光素子６ａを駆動させる光源駆動部１０とを備え、光源駆動部１０が、それぞれの光源判別手段９より得られた判別結果に基づいて発光素子６ａを駆動させることを特徴とする。【選択図】  図１
2006158516.tif 000002
【特許請求の範囲】
【請求項１】
発光素子を有する光源が内蔵された複数の光学アダプタを内視鏡先端部に着脱可能な内視鏡装置において、
前記光学アダプタ内に、前記発光素子の特性を判別する光源判別手段と、
前記内視鏡装置の本体部に、前記発光素子を駆動させる光源駆動部とを備え、
前記光源駆動部が、それぞれの前記光源判別手段より得られた判別結果に基づいて前記発光素子を駆動させることを特徴とする内視鏡装置。
【請求項２】
前記光源駆動部が、前記発光素子を定電流駆動により駆動させることを特徴とする請求項１に記載の内視鏡装置。
【請求項３】
前記光源判別手段より得られた判別結果に対応したそれぞれの記憶情報があらかじめ記憶された記憶手段を備え、
前記光源駆動部が、前記記憶情報から得られた電流値により前記発光素子を駆動させることを特徴とする請求項１または請求項２に記載の内視鏡装置。
【請求項４】
前記発光素子が、ＬＥＤであることを特徴とする請求項１から請求項３のいずれか１項に記載の内視鏡装置。
【発明の詳細な説明】
【技術分野】
【０００１】
本発明は、光学アダプタを有する内視鏡装置に関する。
【背景技術】
【０００２】
近年、内視鏡装置は、必要に応じて処置具を用い、治療処置を行う医療用内視鏡として体腔内臓器を観察したり、ボイラー・ダービン・エンジン・化学プラント等の、内部の傷・腐食等を観察・検査を行う工業用内視鏡として広く用いられている。このような内視鏡装置では、内視鏡先端部に複数の光学アダプタを取り付けて観察を行うことがある。
【０００３】
このように、光学アダプタを備えたものとして、光学アダプタの内部に照明部として照明用ＬＥＤと、撮像素子としてのＣ−ＭＯＳイメージセンサとを設けている電子内視鏡が提案されている（例えば、特許文献１参照。）。この電子内視鏡は、操作部内にＬＥＤ及びＣ−ＭＯＳイメージセンサに電源を供給する回路を備えており、交換式光学アダプタと内視鏡挿入部先端とが、それぞれの構成に合うように設置された接続部に接触することによって、交換式光学アダプタに内蔵された電力消費部を駆動するようになっている。
【特許文献１】特開２００１−６１７７７号公報
【発明の開示】
【発明が解決しようとする課題】
【０００４】
しかしながら、特許文献１に記載の電子内視鏡装置では、ＬＥＤを有する光源を内蔵する光学アダプタを変更した場合に、その光源の駆動に関しての変更を行っていない。したがって、光学アダプタを変更することにより、ＬＥＤ光源の特性が変わった場合に、その特性に合わせてＬＥＤの駆動量を変更することができないため、ＬＥＤの特性を最大限に活かすことができないという問題がある。
【０００５】
本発明は、上記の課題を解決するためになされたものであって、光源を特性に合わせて駆動可能な内視鏡装置を提供することを目的とする。
【課題を解決するための手段】
【０００６】
上記目的を達成するために、本発明は、以下の手段を提供する。
本発明の内視鏡装置は、発光素子を有する光源が内蔵された複数の光学アダプタを内視鏡先端部に着脱可能な内視鏡装置において、前記光学アダプタ内に、前記発光素子の特性を判別する光源判別手段と、前記内視鏡装置の本体部に、前記発光素子を駆動させる光源駆動部とを備え、前記光源駆動部が、それぞれの前記光源判別手段より得られた判別結果に基づいて前記発光素子を駆動させることを特徴とする。
【０００７】
本発明に係る内視鏡装置においては、まず、内視鏡先端部に光学アダプタを取り付けた後、光源判別手段により、発光素子の特性を判別する。このとき、それぞれの光源判別手段より得られた判別結果に基づいて、光源駆動部により発光素子を駆動させるため、発光素子の特性に合わせて発光素子の駆動方法を変更することができる。したがって、最適な方法で発光素子を駆動させることができるため、発光素子の特性を最大限に活用することが可能となる。
【０００８】
また、本発明の内視鏡装置は、前記光源駆動部が、前記発光素子を定電流駆動により駆動させることを特徴とする。
本発明に係る内視鏡装置においては、光源を定電流駆動により駆動させるため、光源に流れる電流が一定に維持されるので、光源駆動部により、安定した発光素子の特性を得ることができる。
【０００９】
また、本発明の内視鏡装置は、前記光源判別手段より得られた判別結果に対応したそれぞれの記憶情報があらかじめ記憶された記憶手段を備え、前記光源駆動部が、前記記憶情報から得られた電流値により前記発光素子を駆動させることを特徴とする。
【００１０】
本発明に係る内視鏡装置においては、記憶手段を備えることにより、光源駆動部が、記憶手段により光学アダプタそれぞれの記憶情報から得られた電流値により発光素子を駆動させるので、最適な電流値により、発光素子を駆動させることが可能になる。
【００１１】
また、本発明の内視鏡装置は、前記発光素子が、ＬＥＤであることを特徴とする。
本発明に係る内視鏡装置においては、発光素子がＬＥＤであるため、発光素子を有する光源の発光輝度を調整することができる。したがって、光源判別手段により、確実かつ簡便に発光素子の特性を判別することが可能となる。
【発明の効果】
【００１２】
本発明においては以下の効果を奏する。
本発明に係る内視鏡装置によれば、光源判別手段を備えることにより、それぞれの光源判別手段より得られた判別結果に基づいて、光源駆動部により発光素子を駆動させるため、発光素子の特性に合わせて発光素子の駆動方法を変更することができる。したがって、最適な方法で発光素子を駆動させることができるため、発光素子の特性を最大限に活用することが可能となる。
【発明を実施するための最良の形態】
【００１３】
次に、本発明の第１実施形態について、図１から図４を参照して説明する。
本実施形態に係る内視鏡装置１は、図１及び図２に示すように、先端部（内視鏡先端部）３ａに固体撮像素子としての電荷結合素子（以下、ＣＣＤと略記）８を内蔵した挿入部３と、ＣＣＤ８の駆動及びこのＣＣＤ８から出力される画像信号から映像信号の生成を行う画像処理部１２と、この画像処理部１２から出力される映像信号を受けて内視鏡画像を表示する表示装置であるモニタ３を有する装置本体（本体部）４とを備えている。また、本実施形態では、挿入部３の先端部３ａに、通常の光学アダプタと大容量アダプタとの２種類の光学アダプタ２が接続可能となっている。
【００１４】
＜画像処理＞
次に、本実施形態の画像処理系統及びその動作を、図１を参照して説明する。
ＬＥＤ（発光素子）６ａを有する光源６により照明された被写体は、光学アダプタ２が挿入部３に取り付けられている場合に、挿入部３の先端部３ａに取り付けられる光学アダプタ２内に配置された対物レンズ７による結像位置に配置された、ＣＣＤ８に結像され光電変換される。このＣＣＤ８に接続される複合同軸ケーブルＬ１は、ＣＣＤ駆動部１１及び画像処理部１２に接続される。画像処理部１２には、同軸ケーブルＬ２が接続され、その先には表示装置のモニタ３が接続されている。
【００１５】
ＣＣＤ駆動部１１は、ＣＣＤ８を駆動するための信号を、複合同軸ケーブルＬ１を通して、ＣＣＤ８に出力する。ＣＣＤ８は、受け取ったＣＣＤ駆動信号に基づくタイミングで光電変換を行う。ＣＣＤ８に光電変換された信号は、複合同軸ケーブルＬ１を通して画像処理部１２に伝送される。画像処理部１２はシステム制御部（出力制御部）１３とケーブルＬ３を通して通信を行い、システム制御部１３は図示しないユーザインターフェース（例えば、スイッチ部）からの入力（ＺＯＯＭのＵＰ／ＤＯＷＮ信号、ＦＲＥＥＺ信号等）を受け取り、ＺＯＯＭ、ＦＲＥＥＺ等の指示を出し、その指示に従って各処理を行う。画像処理部１２にて処理された画像は、同軸ケーブルＬ２を通してモニタ３に伝送され出画される。
【００１６】
＜ＬＥＤ制御＞
次に、本実施形態のＬＥＤ制御系について説明する。
挿入部３の先端部３ａに接続される光学アダプタ２内に、配置された照明用のＬＥＤ６は、ケーブルＬ４を通してＬＥＤ駆動部（光源駆動部）１０と接続されている。ＬＥＤ駆動部１０はケーブルＬ５にてシステム制御部１３と接続されている。ＬＥＤ駆動部１０は、システム制御部１３のＬＥＤ点灯信号により、ＬＥＤ６の点灯及び消灯を制御することが可能になっている。また、システム制御部１３は、図示しないユーザインターフェース（例えば、スイッチ部）からの入力（ＬＥＤ  ＯＮ／ＯＦＦ信号）を受け取り、ＬＥＤ駆動部１０を制御することが可能になっている。さらに、システム制御部１３には、ＬＥＤ判別手段（光源判別手段）９が接続されており、システム制御部１３によりＬＥＤ判別手段９のＬＥＤ判別信号（判別結果）に基づいて、ＬＥＤ駆動部１０を制御しＬＥＤ６の駆動方法を変更することができるようになっている。
【００１７】
次に、本実施形態のシステム制御部１３の動作について、図２を用いて説明する。
基準電圧Ｖｒｅｆが、システム制御部１３内で作り出されて抵抗Ｒｒｅｆ１５に印加される。この抵抗Ｒｒｅｆ１５は、光学アダプタ２内のＬＥＤ判別手段９の内部に配置されたＬＥＤ判別用抵抗Ｒａｄ１４に接続されている。また、ＬＥＤ判別用抵抗Ｒａｄ１４は、システム制御部１３内部のＧＮＤに接続されている。
【００１８】
この抵抗Ｒｒｅｆ１５及びＬＥＤ判別用抵抗Ｒａｄ１４に分圧された電圧がオペアンプ１６においてバッファされ、ＣＰＵ１７に入力される。ＣＰＵ１７では、この電圧情報（記憶情報）を基に、ＬＥＤ６の特性を判別する。また、ＣＰＵ１７には、ＥＥＰＲＯＭ（記憶手段）１８が接続されており、このＥＥＰＲＯＭ１８には、ＬＥＤ判別手段９より得られた判別結果に対応した電圧情報とＬＥＤ駆動電流との関係（テーブル）があらかじめ記憶されている。そして、システム制御部１３が、この情報を参照して、ＬＥＤ点灯信号１及びＬＥＤ点灯信号２をＬＥＤ駆動部１０に出力するとともに、得られた電流値によりＬＥＤ駆動部１０におけるＬＥＤ６を駆動させるようになっている。
【００１９】
次に、本実施形態のＬＥＤ駆動部１０の動作について、図３を用いて説明する。
電源電圧が定電圧電源１９に入力され、所定の電圧Ｖｏｕｔが定電圧電源１９より出力される。この出力された電源電圧がトランジスタ２０のベースに印加され、トランジスタ２０がＯＮ状態になる。また、トランジスタ２１及びドランジスタ２３は、システム制御部１３からの指令であるＬＥＤ点灯信号１及びＬＥＤ点灯信号２により、ＯＮ／ＯＦＦ状態になる。ここで、ＬＥＤ点灯信号１及びＬＥＤ点灯信号２は排他処理となっている。
【００２０】
以下にＬＥＤ点灯信号１及びＬＥＤ点灯信号２のそれぞれがＨｉｇｈレベルとなっている場合に分けて動作を説明する。
なお、通常アダプタ接続時には、ＬＥＤ点灯信号１及びＬＥＤ点灯信号２がＨｉｇｈレベル、ＬＥＤ点灯信号２がＬｏｗレベルとなり、大容量アダプタ接続時にはＬＥＤ点灯信号１がＬｏｗレベル、ＬＥＤ点灯信号２がＨｉｇｈレベルとなる。
【００２１】
＜ＬＥＤ点灯信号１がＨｉｇｈレベル、ＬＥＤ点灯信号２がＬｏｗレベルの場合＞
ＬＥＤ点灯信号１がＨｉｇｈレベル、ＬＥＤ点灯信号２がＬｏｗレベルの場合、トランジスタ２１がＯＮ状態となり、トランジスタ２３がＯＦＦ状態となる。これにより、トランジスタ２１がＯＮ状態となったときのコレクターエミッタ間電位差は小さいので無視できると仮定すると、ＬＥＤ電流制限抵抗２２に印加される電圧Ｖ１は、Ｖ１＝Ｖｏｕｔ−ＶＢＥ（式１）となる。つまり、ＬＥＤ電流制限抵抗２２の抵抗値をＲ１とすると、ＬＥＤ電流制限抵抗２２に流れる電流Ｉ１は、Ｉ１＝Ｖ１／Ｒ１（式２）となる。この電流Ｉ１はトランジスタ２０がＯＮ状態となっていることから、ＬＥＤ６にも電流が流れることになる。これにより、ＬＥＤ駆動部１０は、ＬＥＤ６を電流Ｉ１により駆動させることになる。
また、ＬＥＤ６を消灯したい場合には、定電圧電源１９に入力される電源電圧をＯＦＦ状態にすることにより、Ｖｏｕｔが０Ｖになり、トランジスタ２０のベースも０Ｖとなる。これにより、トランジスタ２０がＯＦＦ状態になり、ＬＥＤ６に流れる電流がカットされ、消灯する。
【００２２】
＜ＬＥＤ点灯信号１がＬｏｗレベル、ＬＥＤ点灯信号２がＨｉｇｈレベルの場合＞
ＬＥＤ点灯信号１がＬｏｗレベル、ＬＥＤ点灯信号２がＨｉｇｈレベルの場合、トランジスタ２１がＯＦＦ状態となり、トランジスタ２３がＯＮ状態となる。これにより、トランジスタ２３がＯＮ状態となったときのコレクターエミッタ間電位差は小さいので無視できると仮定すると、ＬＥＤ電流制限抵抗２４に印加される電圧Ｖ２は、Ｖ２＝Ｖｏｕｔ−ＶＢＥ（式３）となる。つまり、ＬＥＤ電流制限抵抗２４の抵抗値をＲ２とすると、ＬＥＤ電流制限抵抗２４に流れる電流Ｉ２は、Ｉ２＝Ｖ２／Ｒ２（式４）となる。この電流Ｉ２はトランジスタ２０がＯＮ状態となっていることから、ＬＥＤ６にも電流が流れることになる。これにより、ＬＥＤ駆動部１０は、ＬＥＤ６を電流Ｉ２により駆動させることになる。
【００２３】
次に、以上の構成からなる本実施形態に係る内視鏡装置１の作用について、図４に示すフローチャートを用いて説明する。
まず、システムがＰＯＷＥＲ−ＯＮされると（ステップＳ１）、図示しないユーザインターフェースのＬＥＤ−ＳＷ（ＬＥＤ６のスイッチ）がＯＮ状態であるか否かを確認する（ステップＳ２）。ここで、ＬＥＤ−ＳＷがＯＦＦ状態である場合には（ステップＳ２「ＮＯ」）、ステップＳ１に戻るため、以下のステップに移行することはない。
【００２４】
そして、ＬＥＤ−ＳＷがＯＮ状態である場合には（ステップＳ２「ＹＥＳ」）、光学アダプタが取り付けられているか否かを判断する。これは、光学アダプタ２が挿入部３の先端部３ａに接続されていない状態では、ＬＥＤ判別手段９と挿入部３の先端部３ａとが接続されていないため、ＬＥＤ判別信号がＶｒｅｆとなる。すなわち、ＣＰＵ１７はＬＥＤ判別手段９からのＬＥＤ判別信号がＶｒｅｆとなっているかどうかを判断する（ステップＳ３）。ここで、光学アダプタ２が挿入部３の先端部３ａに接続されていない場合には（ステップＳ３「ＹＥＳ」）、ＬＥＤ６の消灯状態を維持する（ステップＳ４）。
【００２５】
また、ＬＥＤ判別信号がＶｒｅｆと異なると、光学アダプタ２が挿入部３の先端部３ａに接続されていると判断し（ステップＳ３「ＮＯ」）、どの種類の光学アダプタ２が接続されているかを判断することになる。本実施形態では、通常アダプタと大容量アダプタとが接続可能となっており、通常アダプタのＬＥＤ判別抵抗値がＲｒｅｆよりも小さく、大容量アダプタのＬＥＤ判別抵抗値がＲｒｅｆよりも大きいと仮定する。これにより、ＣＰＵ１７に入力されるＬＥＤ判別信号がＶｒｅｆ／２よりも小さい場合には（ステップＳ５「ＹＥＳ」）、通常アダプタが接続されていると判断する（ステップＳ６）。このとき、ＣＰＵ１７はＬＥＤ点灯信号１をＨｉｇｈレベル、ＬＥＤ点灯信号２をＬｏｗレベルとなるように動作させる。そして、ＬＥＤ駆動部１０によりＬＥＤ６の点灯状態を維持する（ステップＳ８）。
【００２６】
一方、ＣＰＵ１７に入力されるＬＥＤ判別信号がＶｒｅｆ／２よりも大きい場合には（ステップＳ５「ＮＯ」）、大容量アダプタが接続されていると判断する（ステップＳ７）。このとき、ＣＰＵ１７はＬＥＤ点灯信号１をＬｏｗレベル、ＬＥＤ点灯信号２をＨｉｇｈレベルとなるように動作させる。そして、ＬＥＤ駆動部１０によりＬＥＤ６の点灯状態を維持する（ステップＳ８）。
その後、ＬＥＤ６が点灯状態になると、システム制御部１３は、図示しないユーザインターフェースのＬＥＤ−ＳＷがＯＦＦ状態であるか否かを常に監視しており、ＬＥＤ−ＳＷがＯＮ状態ではＬＥＤ６の点灯を継続する（ステップＳ９「ＮＯ」）。また、ＬＥＤ−ＳＷがＯＦＦ状態では、ステップＳ２に戻り、ＬＥＤ−ＳＷがＯＮ状態になるまで待機状態となる（ステップＳ９「ＹＥＳ」）。
【００２７】
本実施形態に係る内視鏡装置１によれば、ＬＥＤ判別手段９を備えているため、システム制御部１３によりＬＥＤ判別手段９のＬＥＤ判別信号に基づいてＬＥＤ点灯信号１及びＬＥＤ点灯信号２の駆動方法を変更することができる。したがって、光学アダプタ２を交換することによりＬＥＤ６が代わった場合においても、ＬＥＤ６の特性に合わせてＬＥＤ６の駆動方法を変更することができるため、ＬＥＤ６の特性を最大限に活用することが可能となる。
【００２８】
次に、本発明に係る第２実施形態について、図５から図７を参照して説明する。なお、以下に説明する各実施形態において、上述した第１実施形態に係る内視鏡装置１と構成を共通とする箇所には同一符号を付けて、説明を省略することにする。
本実施形態に係る内視鏡装置において、第１実施形態と異なる点は、第２実施形態では、挿入部３の先端部３ａに、複数のｎ種類の光学アダプタ２が取り付けられるようになっており、取り付けられた光学アダプタ２によって、それぞれの光学アダプタ２に内蔵されたＬＥＤ６をｎ種類の電流値により駆動させる点である。
【００２９】
次に、本実施形態のシステム制御部４０の動作について、図５を用いて説明する。
システム制御部４０は、ＬＥＤ判別手段９内のＬＥＤ判別抵抗１４の値に応じて、ＣＰＵ１７に入力される電圧値が変化し、その値に応じてＣＰＵ１７はＥＥＰＲＯＭ１８に格納されたデータを参照してＬＥＤ点灯信号１〜ｎを制御する。
【００３０】
次に、本実施形態のＬＥＤ駆動部４１の動作について、図６を用いて説明する。
システム制御部４０からのＬＥＤ点灯信号１〜ｎがトランジスタ２１、トランジスタ２３、・・・、トランジスタ３１にそれぞれ入力される。このとき、ＬＥＤ点灯信号１〜ｎのうち１つがＨｉｇｈレベルで、他の信号はＬｏｗレベルとなっており、ＣＰＵ１７より出力されるＬＥＤ点灯信号１〜ｎの組み合わせはｎ通りである。
【００３１】
ＬＥＤ点灯信号１〜ｎがトランジスタ２１、トランジスタ２３、・・・、トランジスタ３１のうち１つのトランジスタがＯＮ状態となる。これにより、それぞれのトランジスタに接続される電流制限抵抗２２、電流制限抵抗２４、・・・、電流制限抵抗３２のうちの１つの電流制限抵抗に印加される電圧Ｖは、Ｖ＝Ｖｏｕｔ−ＶＢＥ（式５）となる。つまり、トランジスタ２１、トランジスタ２３、・・・、トランジスタ３１のうち唯一ＯＮ状態となったトランジスタに接続される電流制限抵抗の抵抗値をＲｎとすると、電流制限抵抗に流れる電流Ｉnは、Ｉｎ＝Ｖ／Ｒｎ（式６）となる。この電流Ｉｎはトランジスタ２０がＯＮ状態となっていることから、ＬＥＤ６にも電流が流れることになる。これにより、ＬＥＤ駆動部４１は、ＬＥＤ６を電流Ｉｎにより駆動させることになる。
【００３２】
次に、以上の構成からなる本実施形態に係る内視鏡装置の作用について、図７に示すフローチャートを用いて説明する。
まず、システムがＰＯＷＥＲ−ＯＮされると（ステップＳ２１）、図示しないユーザインターフェースのＬＥＤ−ＳＷ（ＬＥＤ６のスイッチ）がＯＮ状態であるか否かを確認する（ステップＳ２２）。ここで、ＬＥＤ−ＳＷがＯＦＦ状態である場合には（ステップＳ２２「ＮＯ」）、ステップＳ１に戻るため、以下のステップに移行することはない。
【００３３】
そして、ＬＥＤ−ＳＷがＯＮ状態である場合には（ステップＳ２２「ＹＥＳ」）、光学アダプタ２が取り付けられているか否かを判断する。このとき、光学アダプタ２が挿入部３の先端部３ａに接続されていない状態では、ＬＥＤ判別手段９と挿入部３の先端部３ａとが接続されていないため、第１実施形態と同様に、ＬＥＤ判別信号がＶｒｅｆとなっているかどうかを判断する（ステップＳ２３）。ここで、光学アダプタ２が挿入部３の先端部３ａに接続されていない場合には（ステップＳ２３「ＹＥＳ」）、ＬＥＤ６の消灯状態を維持する（ステップＳ２４）。
【００３４】
また、ＬＥＤ判別信号がＶｒｅｆと異なると、光学アダプタ２が挿入部３の先端部３ａに接続されていると判断する（ステップＳ２３「ＮＯ」）。ここで、取り付けられる光学アダプタ２の種類がn種類であるため、n種類のＬＥＤ判別用抵抗が接続されることになる。このときのn種類のＬＥＤ判別用抵抗の値は、そのＬＥＤ判別用抵抗が接続されたときに、ＬＥＤ判別信号が０〜Ｖｒｅｆ／n、Ｖｒｅｆ／ｎ〜２Ｖｒｅｆ／n、・・・、（n−２）Ｖｒｅｆ／ｎ〜（n−１）Ｖｒｅｆ／n、（n−１）Ｖｒｅｆ／ｎ〜Ｖｒｅｆ／nの範囲にそれぞれ入るように設定するものとする（ステップＳ２５）。
【００３５】
次いで、ＬＥＤ判別信号が０〜Ｖｒｅｆ／nの範囲内となっている場合には（ステップＳ２５「ＹＥＳ」）、通常アダプタが接続されていると判断し、ＬＥＤ６を通常点灯するように、ＣＰＵ１７がＬＥＤ点灯信号１のみをＨｉｇｈレベルにし、その他の信号に関してはＬｏｗレベルを出力する。その後、ＬＥＤ６の点灯状態を維持する（ステップＳ２６）。
【００３６】
一方、ＬＥＤ判別信号が０〜Ｖｒｅｆ／nの範囲外となっている場合には（ステップＳ２５「ＮＯ」）、ＬＥＤ判別信号がＶｒｅｆ／ｎ〜２Ｖｒｅｆ／nの範囲内であるかを判断する（ステップＳ２７）。ここでは、Ｖｒｅｆ／ｎ〜２Ｖｒｅｆ／nの範囲内にある場合には、第１の大容量アダプタが接続されていると判断し（ステップＳ２７「ＹＥＳ」）、第１の大容量アダプタに内蔵されたＬＥＤに通常の２倍の電流値により点灯するように、ＣＰＵ１７がＬＥＤ点灯信号２のみをＨｉｇｈレベルにし、その他の信号に関してはＬｏｗレベルを出力する。その後、ＬＥＤの点灯状態を維持する（ステップＳ２８）。
【００３７】
また、ＬＥＤ判別信号がＶｒｅｆ／ｎ〜２Ｖｒｅｆ／nの範囲外にある場合には（ステップＳ２７「ＮＯ」）、ＬＥＤ判別信号が（n−２）Ｖｒｅｆ／ｎ〜（n−１）Ｖｒｅｆ／nの範囲内であるかの判断（ステップＳ２９）まで、繰り返し行う。ここで、（n−２）Ｖｒｅｆ／ｎ〜（n−１）Ｖｒｅｆ／nの範囲内にある場合には、第ｎ−２の大容量アダプタが接続されていると判断し（ステップＳ２９「ＹＥＳ」）、ＬＥＤを通常のn−１倍の電流値により点灯するように、ＣＰＵ１７がＬＥＤ点灯信号n−１のみをＨｉｇｈレベルにし、その他の信号に関してはＬｏｗレベルを出力する。その後、ＬＥＤの点灯状態を維持する（ステップＳ３０）。
【００３８】
さらに、ＬＥＤ判別信号が（n−２）Ｖｒｅｆ／ｎ〜（n−１）Ｖｒｅｆ／nの範囲外にある場合には（ステップＳ２９「ＮＯ」）、最終的にＬＥＤ判別信号が（n−１）Ｖｒｅｆ／ｎ〜Ｖｒｅｆ／nの範囲内にあることになり（ステップＳ３１）、第ｎ−１の大容量のアダプタが接続されていると判断しＬＥＤを通常のn倍の電流値により点灯するように、ＣＰＵ１７がＬＥＤ点灯信号nのみをＨｉｇｈレベルにし、その他の信号に関してはＬｏｗレベルを出力する。その後、ＬＥＤの点灯状態を維持する（ステップＳ３２）。
【００３９】
このようにして、ＬＥＤ判別信号が０〜Ｖｒｅｆ／n、Ｖｒｅｆ／ｎ〜２Ｖｒｅｆ／n、・・・、（n−２）Ｖｒｅｆ／ｎ〜（n−１）Ｖｒｅｆ／n、（n−１）Ｖｒｅｆ／ｎ〜Ｖｒｅｆ／nのそれぞれの範囲に入っている場合には、ＬＥＤを通常のn倍の電流値により点灯するように、ＣＰＵ１７がＬＥＤ点灯信号nのみをＨｉｇｈレベルにし、その他の信号に関してはＬｏｗレベルを出力する。その後、ＬＥＤの点灯状態を維持する（ステップＳ３３）。
【００４０】
そして、ＬＥＤの点灯状態を維持した後、図示しないユーザインターフェースのＬＥＤ−ＳＷがＯＦＦ状態であるか否かを常に監視しており、ＬＥＤ−ＳＷがＯＮ状態ではＬＥＤの点灯を継続する（ステップＳ３４「ＮＯ」）。また、ＬＥＤ−ＳＷがＯＦＦ状態では、ステップＳ２に戻り、ＬＥＤ−ＳＷがＯＮ状態になるまで待機状態となる（ステップＳ３４「ＹＥＳ」）。
【００４１】
本実施形態に係る内視鏡装置によれば、ＬＥＤ判別手段９を備えているため、光学アダプタ２がn種類ある場合においても、システム制御部４０によりＬＥＤ判別手段９のＬＥＤ判別信号に基づいてＬＥＤ点灯信号１〜ＬＥＤ点灯信号nの駆動方法を変更することができる。したがって、光学アダプタ２を交換することによりＬＥＤ６が代わった場合においても、それぞれの光学アダプタに内蔵されたＬＥＤの特性に合わせてＬＥＤの駆動方法を変更することができるため、ＬＥＤの特性を最大限に活用することが可能となる。
【００４２】
なお、本発明の技術範囲は上記実施形態に限定されるものではなく、本発明の趣旨を逸脱しない範囲において種々の変更を加えることが可能である。
例えば、発光素子としてＬＥＤ６ａを用いたが、これに代えて、有機ＥＬ発光素子であっても良い。
【図面の簡単な説明】
【００４３】
【図１】本発明の第１実施形態に係る内視鏡装置を示すブロック図である。
【図２】本発明の第１実施形態に係る内視鏡装置のシステム制御部を示す電気回路図である。
【図３】本発明の第１実施形態に係る内視鏡装置の光源駆動部を示す電気回路図である。
【図４】本発明の第１実施形態に係る内視鏡装置の動作の流れを示すフローチャート図である。
【図５】本発明の第２実施形態に係る内視鏡装置のシステム制御部を示す電気回路図である。
【図６】本発明の第２実施形態に係る内視鏡装置の光源駆動部を示す電気回路図である。
【図７】本発明の第２実施形態に係る内視鏡装置の動作の流れを示すフローチャート図である。
【符号の説明】
【００４４】
１  内視鏡装置
２  光学アダプタ
３ａ  先端部（内視鏡先端部）
４  装置本体（本体部）
６  光源
６ａ  ＬＥＤ（発光素子）
９  ＬＥＤ判別手段（光源判別手段）
１０  ＬＥＤ駆動部（光源駆動部）
１８  ＥＥＰＲＯＭ（記憶手段）
【図１】
2006158516.tif 000003
【図２】
2006158516.tif 000004
【図３】
2006158516.tif 000005
【図４】
2006158516.tif 000006
【図５】
2006158516.tif 000007
【図６】
2006158516.tif 000008
【図７】
2006158516.tif 000009